(57)【特許請求の範囲】
【請求項１】
端末の支援可能機能に関する情報を含むプレゼンス情報を受信する送受信部と、
前記受信したプレゼンス情報を利用して他の端末の支援機能を検出し、相手端末の支援可能機能に基づいて所定の方式で表示するメニューを決定する制御部と、
を具備し、
前記プレゼンス情報は、相手端末に設定されている選好連絡形態を含み、前記制御部はさらに、端末の使用者に前記選考連絡形態を選択させるように表示する前記メニューを決定し、
前記プレゼンス情報はさらに、相手装置、相手装置の状態、相手の端末機利用、相手の機能支援、及び相手の使用者のモード設定のうちの少なくとも１つを含み、
前記表示されるメニューに含まれる項目は、通話（ＣＡＬＬ）、映像通話、ＳＭＳ、ＭＭＳ、ＩＭ、及び電子メールから選択された少なくとも１つ以上であることを特徴とする移動通信端末機。
【請求項２】
前記制御部は、
端末に表示されるメニューのリストを把握するメニューリスト部と、
前記相手端末の支援可能機能を把握するハンドセット機能部と、
前記把握した相手端末の支援可能機能を所定の方式で強調して表示する強調項目選択部と、
を具備することを特徴とする請求項１に記載の移動通信端末機。
【請求項３】
前記所定の方式は、相手端末が支援する機能だけを表示する方式であることを特徴とする請求項１に記載の移動通信端末機。
【請求項４】
前記所定の方式は、使用者端末の支援機能はメニューに表示されるが、前記相手端末の支援しない機能は非アクティブとして表示される方式であることを特徴とする請求項１に記載の移動通信端末機。
【請求項５】
前記所定の方式は、相手端末が支援しない機能に対して使用者の選択があれば、相手端末が支援しない機能であることを知らせる画像をポップアップさせる方式であることを特徴とする請求項１に記載の移動通信端末機。
【請求項６】
前記制御部は、プレゼンス情報に含まれた、メーカー（Dev Manufacturer）、モデル、及びクライアントの端末が支援するバージョンのうち少なくとも１つを示すパラメータを用いて、前記相手端末の支援可能機能に対する情報を把握することを特徴とする請求項１に記載の移動通信端末機。
【請求項７】
前記制御部が決定したメニューを出力するディスプレイ部をさらに具備することを特徴とする請求項１に記載の移動通信端末機。
【請求項８】
前記制御部は、前記把握した相手端末の支援可能機能を、移動通信端末機に登録した電話番号と連動させてメモリに保存することを特徴とする請求項１に記載の移動通信端末機。
【請求項９】
前記制御部は、端末に登録された電話番号または使用者から入力された電話番号に基づいて、電話番号に該当する相手端末のプレゼンス情報を、前記送受信部を介して選択的に受信されるように制御することを特徴とする請求項１に記載の移動通信端末機。
【請求項１０】
プレゼンス情報を受信する送受信部と、
前記受信したプレゼンス情報から相手端末に設定されている選好連絡形態に関する情報を抽出して、端末の使用者に抽出した選好連絡形態を選択させるように所定の方式で表示するメニューを決定する
制御部と、
を具備し、
前記選好連絡形態は、通話、ＳＭＳ、ＭＭＳ、ＩＭ、電子メールから選択された少なくとも１つ以上であることを特徴とする移動通信端末機。
【請求項１１】
前記制御部は、プレゼンス情報のPrefCパラメータを用いて相手端末に設定された選好連絡形態を把握することを特徴とする請求項１０に記載の移動通信端末機。
【請求項１２】
前記所定の方式は、前記把握された選好連絡形態だけをアクティブにして表示する方式、文字の大きさを変更して強調表示する方式、表示色を周辺と異なるように表示する方式、点滅効果を付加する方式のうちから選択された少なくとも１つの方式であることを特徴とする請求項１０に記載の移動通信端末機。
【請求項１３】
使用者により選択された電話番号に該当する端末のプレゼンス情報を受信する段階と、
前記受信したプレゼンス情報から前記端末が支援可能な機能を把握する段階と、
前記把握した支援可能機能に対する情報に基づいて所定の方式に従ってメニューを表示する段階と、
を具備し、
前記プレゼンス情報は、相手端末に設定されている選好連絡形態を含み、前記メニューを表示する段階は、さらに端末の前記使用者に前記選考連絡形態を選択させるようにメニューを表示し、
前記表示されるメニューに含まれる項目は、通話（ＣＡＬＬ）、映像通話、ＳＭＳ、ＭＭＳ、ＩＭ、及び電子メールから選択された少なくとも１つ以上であることを特徴とする移動通信端末のメニュー表示方法。
【請求項１４】
前記メニューを表示する段階は、
移動通信端末自体に備えられた基本メニューリストを把握する段階と、
前記把握した支援可能機能と前記基本メニューリスト上の項目とを比べる段階と、
比較の結果、共通した項目を所定の方式に従ってメニューに表示する段階と、
を具備することを特徴とする請求項１３に記載の移動通信端末のメニュー表示方法。
【請求項１５】
前記プレゼンス情報は、相手装置、相手装置の状態、相手の端末機利用、相手の機能支援、及び相手の使用者のモード設定のうちいずれか１つを含むことを特徴とする請求項１３に記載の移動通信端末のメニュー表示方法。
【請求項１６】
使用者により選択された電話番号に該当する端末のプレゼンス情報を受信する段階と、
前記受信したプレゼンス情報から前記端末に設定された選好連絡形態に関する情報を把握する段階と、
端末の前記使用者に前記把握した選好連絡形態を選択させるように所定の方式に従ってメニューを表示する段階と、
を含み、
前記表示されるメニューに含まれる項目は、通話（ＣＡＬＬ）、映像通話、ＳＭＳ、ＭＭＳ、ＩＭ、及び電子メールから選択された少なくとも１つ以上であることを特徴とする移動通信端末のメニュー表示方法。
【発明の詳細な説明】
【技術分野】
【０００１】
本発明は、移動通信端末機に係り、特に、使用者の便宜性を考慮して相手端末を支援できる機能や、相手が設定した端末状態によってメニュー表示を変更できる機能を備えた移動通信端末機に関するものである。
【背景技術】
【０００２】
最近、無線通信サービスの種類が多様化されて、高速の伝送速度を提供する通信環境が整っており、電子メール、写真、動画、音楽などのマルチメディアデータを伝送するサービスが続々と登場している。
【０００３】
移動通信端末機の製造業界においても、このような移動通信サービスの発展に伴って、多様なマルチメディアサービス機能を支援する端末機を生産している。しかしながら、技術発展に伴って新たに追加された機能は、その技術開発以後に生産されたモデルに採用されるので、それ以前に生産されたモデルの支援機能と差が生じる。
【０００４】
通常、最新モデルの端末機に支援される機能は、従来モデルの端末に支援される機能よりも多いので、新型端末機を購入した使用者が自分の端末に表示されたメニュー中の特定項目を選び、その機能を利用しようとしても、相手端末が旧型であり、その選択した機能を支援しない場合がある。しかしながら、使用者としては相手の端末がどの機能を支援するかについていちいち把握することは事実上困難である。このような問題点を詳細な例をあげて以下に説明する。
【０００５】
図１は従来技術によるＭＭＳ（Multimedia Message Service）伝送の一実施例を示す図である。
【０００６】
図１に示したように、送信端末１０は、ＭＭＳ機能が支援される新型端末であり、受信端末１８は、ＭＭＳ機能が支援されない旧型の端末である。
【０００７】
送信端末１０の使用者が、メニューに備えられた「ＭＭＳ作成」を選択した後、イメージを添付してメッセージの作成及び伝送を行うと、送信基地局１２、通信ネットワーク１４、受信基地局１６を経て受信端末１８に、送信端末１０の使用者が作成したＭＭＳメッセージが伝送されるのが正常な手続きである。
【０００８】
しかしながら、受信端末１８には、ＭＭＳ機能が支援されない関係上、送信端末１０から伝送されたＭＭＳメッセージが受信端末１８に伝送されなかったり、添付したイメージが受信端末の画面に表示されなかったり、またはＭＭＳメッセージの内容が損傷されたまま受信端末１８の画面に表示されたりするなどの問題が発生する。
【０００９】
たとえ上述のような問題点を補完するために、送信端末１０の画面にＭＭＳメッセージの伝送が失敗したとの表示がなされても、送信端末１０の使用者にとってはＭＭＳメッセージ作成による手間、ＭＭＳメッセージ伝送の試みによる料金発生、ＭＭＳメッセージ伝送の失敗によりＳＭＳメッセージを再作成して伝送する面倒などの追加負担が発生する。
【００１０】
このような問題点は、作成時間がかかる電子メール、マルチメディアコンテンツを含みデータ量が多いＭＭＳメッセージなどを伝送し、相手端末が該機能を支援しないため伝送失敗した場合にさらに大きく問題とされる。
【００１１】
一方、端末の使用者がたとえば会議への参加、睡眠などの理由によって音声通話に出られない場合、相手はそのような事情を知らないため、その相手からかかって来る電話を防止する方法がなかった。従来技術によれば、相手から電話がかかってくる場合、自動応答ボタンを押して自分が電話に出られない状態であることを相手に知らせることができる。しかし、自分は会議中で電話を受けることができないので、文字メッセージで用件を送るようにとの意思を伝達するためには、その内容を自動応答メッセージで毎度録音しなければならないという煩わしさがあった。
【発明の開示】
【発明が解決しようとする課題】
【００１２】
よって、本発明は、上記のような従来技術の問題点を解決するために創案されたものであって、特に、プレゼンス情報を利用して相手端末が支援可能なメニューを所定の方式に従って表示することで、相手端末の支援機能に合わせて通信ができる機能を提供する端末機を提供することにその目的がある。また、プレゼンス情報を利用して相手が設定した選好連絡（Preferred Contacts）形態を把握し、該選好連絡形態に連絡できるように誘導するメニューを提供することで、使用者の便宜性を高める移動通信端末機を提供することにその目的がある。
【課題を解決するための手段】
【００１３】
前記のような目的を果たすために本発明は、相手端末のプレゼンス情報を受信する送受信部と、受信したプレゼンス情報を利用して相手端末の支援可能機能を把握し、把握した機能に基づいて所定の方式で表示するメニューを決定する制御部と、を備えて構成される。
【００１４】
好ましくは、前記表示するメニューに含まれる項目は、通話（ＣＡＬＬ）、映像通話、ＳＭＳ（Short Message Service）、ＭＭＳ（Multimedia Message Service）、ＩＭ（Instant Message）、電子メールなどが例としてあげられる。
【００１５】
好ましくは、前記所定の方式は、相手端末が支援する機能だけを表示する方式、相手端末が支援しない機能を非アクティブにして表示する方式、相手端末が支援しない機能に対して使用者の選択があれば、相手端末が支援しない機能であることを知らせる窓をポップアップ（pop−up）させる方式であることを特徴とする。
【発明の効果】
【００１６】
ＣＡＬＬ、ＳＭＳ、ＭＭＳ、ＩＭ、電子メールなどの通信方法のうち相手端末が支援する機能を所定の方式で表示するので、相手が支援しない方法で通信を行おうとする端末使用者の手間を少なくさせ、相手端末が支援しない機能のメッセージなどを作成して伝送の試みによる不必要な料金支出を防止し、メッセージ作成及び伝送の試みによる無駄な時間を節約する効果がある。
【００１７】
また、相手が設定した選好連絡形態を反映してメニューを表示するので、相手が好む連絡形態で連絡ができるように誘導することができ、望まない形態で連絡を試みことによる不便を防止して使用者の便宜性を高めることができる。
【発明を実施するための最良の形態】
【００１８】
以下、本発明の好適な実施例を添付の図面を参照して詳しく説明する。なお、本発明の説明において、公知の機能及び構成に対する詳細な説明は本発明の要旨を明瞭にするために省略する。
【００１９】
また、図面を参照して本発明を説明する場合において、同一機能をする構成要素については同一符号を記して説明する。
【００２０】
プレゼンス情報は、ＩＭＰＳ（Instant Messaging and Presence Service）技術を可能とする主な要素として、クライアントの装置や端末の使用状態（例えば、端末のオン／オフ、電話中）、使用者の状態（例えば、通話可能、通話不可、会議中）、位置、クライアント端末の支援可能機能（例えば、音声、テキスト文書、ＧＰＲＳ（general packet radio service）、マルチメディア）、使用者の気分（例えば、喜び、怒り、悲しみ）、使用者の趣味（例えば、サッカー、釣り、ダンス）などの情報を組み込むことができる。前記使用者の状態、使用者の気分、使用者の趣味のような項目は、端末使用者の設定によって変更可能な項目であって、変更した項目はプレゼンス情報に反映される。
【００２１】
前記プレゼンス情報は、ＯＭＡ（Open Mobile Alliance）でパラメータや詳細スペックなどの標準案を決定して公示され、ＯＭＡに所属している通信会社、および端末メーカーは、前記標準案によって通信サービスを提供したり、端末装備を製造したりする。
【００２２】
プレゼンス情報は、特に、マイクロソフト社のＭＳＮメッセンジャー、アメリカオンライン（ＡＯＬ）社のバーディーリスト、ＳＫコミュニケーションのネイトオン（Ｎａｔｅ  Ｏｎ）のようなインスタントメッセンジャー（Instant Messenger）サービスで多く用いられる。メッセンジャーを使用するクライアントが自分の接続状態をオンライン、オフライン、不在などで設定することができ、設定により自分の気分（喜び、怒り、憂鬱など）をアイコンなどで表示することができ、自分の趣味を他のクライアントが見えるように設定することもできる。
【００２３】
インスタンスメッセンジャーでは、プレゼンス情報に含まれた情報のうち、各クライアントが設定した状態（不在、気分、趣味など）を主に利用するが、プレゼンス情報にはクライアントが移動通信サービスに加入して使用している端末機に対する装置情報も含まれている。
【００２４】
次の表１Ａおよび表１Ｂは、プレゼンス情報に書き込みされた主なクライアント情報を整理したものである。
【００２５】
【表１Ａ】
0004937985.tif 000002
【表１Ｂ】
0004937985.tif 000003
【００２６】
表１Ａおよび表１Ｂに記載したように、プレゼンス情報には装置のメーカー（Dev Manufacturer）、装置のモデル（Model）、クライアント端末が支援するバージョン（Client Version）などの情報も書き込まれている。よって、相手のプレゼンス情報を受信すると、相手が持っている端末機のメーカー、モデル、端末が支援するバージョンに関する情報を抽出することができる。また、最近生産された移動通信端末は「OMA Version 1.3」機能を支援し、ＯＭＡが提示しているプレゼンス規格により生産された製品が増えている。
【００２７】
前記クライアント情報（Client Info）に含まれた要素（element）あるいはパラメータ中にクライアントタイプ（Client Type）があり、これはクライアントが利用する装置の形式を示すものであって、プレゼンス標準に明示されているクライアントタイプ（Client Type）は、次の表２である。
【００２８】
【表２】
0004937985.tif 000004
【００２９】
また、プレゼンス情報には、クライアントが支援することのできる通信方法（例えば、電話、ＳＭＳ、ＭＭＳなど）に対する情報も含まれており、これを次の表３に示す。
【００３０】
【表３】
0004937985.tif 000005
【００３１】
ここで、ＳＭＳはショートメッセージサービス（Short Message Service）、ＭＭＳはマルチメディアメッセージサービス（Multimedia Message Service）、ＩＭはインスタンスメッセージ（Instant Message）を各々意味する。ＯＭＡが２００５年１０月に公示したプレゼンスのスペック上では、ＣＡＬＬに係わって映像通話を含めないが、既に映像通話サービスは常用化されており、今後は、ＯＭＡにより新たに公示する新バージョンのプレゼンススペックには映像通話も含まれるであろう。
【００３２】
図２Ａは本発明による移動通信端末機の構成を概略的に示すブロック図である。
【００３３】
図２に示すように、本発明による移動通信端末機は、制御部２００、送受信部２１０、ディスプレイ部２２０、メモリ２３０、入力部２４０で構成されている。図２には、端末機の動作に必要な何種類の構成要素をブロックで示し、図面に示す以外の他の構成要素も付加することができる。
【００３４】
送受信部２１０は、相手端末に関するプレゼンス情報を受信したり、自分のプレゼンス情報を伝送する機能を果たしたりする。図２に示すように、送受信部２１０にはアンテナ２１２が接続される。
【００３５】
入力部２４０は端末使用者の入力を受け入れる機能を果たし、キーパッド（keypad）、タッチスクリーン（touch screen）などの形式に制限はない。
【００３６】
メモリ２３０は、送受信部２１０を介して受信したプレゼンス情報を保存する機能を果たす役割を有する。端末のメーカーが、既に生産した端末のモデル（他社の製造モデルを含む）別に支援可能機能に関する情報をあらかじめメモリ２３０に保存して生産することができる。その場合、相手との通信を行うたびに送受信部２１０を介してプレゼンス情報を受信すべき頻度を低減させることができる。
【００３７】
制御部２００は、受信側端末の支援可能機能に対するメニューを、使用者の端末に表示したり、相手が設定した選好連絡形態をプレゼンス情報から把握したりしてそれに基づいてメニューを表示する処理過程を実行する。
【００３８】
さらに詳しく説明すると、まず、制御部２００は端末に内蔵された基本メニューリスト（Menu list）を取得する。前記基本メニューリストは、端末のメーカーやモデル別に相違するものである。その後、相手端末のプレゼンス情報を所得して、プレゼンス情報により相手端末の支援可能機能や設定された選好連絡形態を把握する。制御部２００がプレゼンス情報から把握する主要パラメータは以下である。
＊Communication capabilities：Ｃａｐ値を利用して受信者端末が支援するNetwork Communicationの関連機能がわかる。
＊ClientInfo：メーカー（Dev Manufacturer）、モデル（Model）、クライアントの端末が支援するバージョン（Client Version）を読み取り受信者端末の機種がわかる。
＊Preferred Contacts：PrefC値を利用して受信者が連絡用として選好する形態がわかる。
【００３９】
前記Communication capabilities、ClientInfo、Dev Manufacturer、Model、Client Version、Cap、Preferred Contacts、PrefC値は、表１Ａ〜表３に記載したように、プレゼンススペック上に定義されているパラメータである。
【００４０】
プレゼンス情報から相手端末の支援可能機能や設定された選好連絡形態が把握されたら、制御部２００は端末に内蔵した基本メニューリストのうち、相手端末が支援する機能に係る項目や相手が設定した選好連絡形態に係る項目を所定の方式に従ってディスプレイ部２２０に出力する。
【００４１】
プレゼンス情報に含まれたクライアント情報（ClientInfo）を参照すると、相手端末の装置タイプ（device type）が携帯電話（Mobile Phone）の場合、メーカー（Dev Manufacturer）、モデル（Model）、クライアントの端末が支援するバージョン（Client Version）などの情報が得られるので、相手端末の支援可能機能に合わせてメニューを表示することができる。
【００４２】
ここで、相手端末は特定機能を支援するが、使用者自身の端末が該当の機能を支援しない場合、前記該当機能は使用者自身の端末に内蔵している基本メニューリストに含まれていないので、別に考慮する必要はない。
【００４３】
図２Ｂは、図２Ａの制御部のブロック構成を詳しく示す図である。
【００４４】
図２Ｂに示したように、本発明による制御部２００は、メニューリスト部２０２と、強調項目選択部２０４と、ハンドセット機能部２０６とを具備している。
【００４５】
メニューデータ部２３２は、端末機から支援するメニューに対するデータが保存された場所であって、メニューリスト部２０２は、前記メニューデータ部２３２から表示できるメニューに対する情報を得る。端末機別に支援可能な機能及び内蔵されたソフトウェアの差があるので、メニューデータ部２３２に保存されているデータにも差が発生する。
【００４６】
ハンドセット機能部２０６は、ハンドセット機能テーブル２３６から端末のモデル別の支援可能機能などを把握する機能を行う。前記ハンドセット機能テーブル２３６に含まれる属性値としては、メーカー（Dev Manufacturer）、モデル（Model）、クライアントの端末が支援するバージョン（Client Version）、支援可能なメニューなどをあげることができる。
【００４７】
ハンドセット機能テーブル２３６の初期値は、端末機製造当時既に発売が開始されていた端末機のモデル別の属性値をあらかじめ含むことができ、端末機の製造以後に発売が開始された端末機のモデル別の属性値は、プレゼンス情報を受信してアップデートすることができる。
【００４８】
プレゼンス部２３４は、ＯＭＡのプレゼンス情報に定義された各パラメータや属性別に機能を提供する部分である。使用者端末に保存されている特定の人の電話番号と該当電話番号を有する端末とがマッチングするプレゼンス情報を判断するために、相手端末から受信したプレゼンス情報に含まれたPreferred ContactsのクライアントアドレスＣＡｄｄｒを先に捜し、もし前記クライアントアドレスがなければCommunication Capabilities項目中のContactを検索してマッチングするプレゼンス情報を把握する。
【００４９】
強調項目選択部２０４は、端末のディスプレイ部２２０にメニューリストを表示する場合、プレゼンス情報から把握した相手端末の支援可能機能に係る項目を決定するか、または、相手が設定した選好連絡形態に係る項目を決定する機能である。
【００５０】
前記メニューデータ部２３２、プレゼンス部２３４、ハンドセット機能テーブル２３６は、メモリ２３０に含まれている形式で構成することが好ましいが、制御部２００に含まれている形式で構成してもよい。
【００５１】
図３Ａ及び図３Ｂは、本発明の一実施例による移動通信端末機を示す図である。
【００５２】
図３Ａは、フォルダタイプの移動通信端末機を例にして示し、図３Ｂはスマートフォン（smart phone）を例にして示した。
【００５３】
図４は、本発明の一実施例によるメニュー表示方法を示す図である。
【００５４】
使用者が、「金哲秀」という相手に電話またはメッセージ伝送をしようとする場合を仮定する。使用者が自分の端末機に内蔵された電話番号検索機能を利用し、「金哲秀」の電話番号を検索すると、相手金哲秀の電話番号「０１０−１２３４−５６７８」がディスプレイ部２２０に表示される（４００）。
【００５５】
使用者がメニューボタンを入力すると、通話、映像通話、ＳＭＳ作成、ＭＭＳ作成、インスタントメッセージ（Instant Message）、電子メール作成などの選択項目が表示される。前記選択項目を表示する場合、本願発明の制御部２００は、相手「金哲秀」の端末が支援する機能をプレゼンス情報から把握して所定の方式に従って表示する。
【００５６】
制御部２００が、相手端末が支援する機能をプレゼンス情報から把握することに関して、使用者が相手の電話番号を検索した後にメニューボタンを押すことによって移動通信網を介して相手のプレゼンス情報を受信して把握する方式、制御部２００が端末に登録されている電話番号に対するプレゼンス情報を所定周期に受信して反映し、反映されたプレゼンス情報から把握する方式、相手端末の支援可能機能に対する情報を把握するたびに把握された情報をメモリ２３０に保存し、使用者が同一相手を検索したら保存されていた情報を読み出して相手端末の支援可能機能を把握する方式など、多様な方式が可能である。
【００５７】
相手端末が支援する機能をディスプレイ部２２０に表示する方式は、図４に示したように、使用者端末のメニューに表示されるすべての機能を相手端末がすべて支援する場合に、全項目をアクティブにして表示する方式（４１０）、相手端末が支援する機能だけを表示する方式（４２０）、相手端末が支援しない機能は非アクティブ（４３０）／陰刻化／小文字で表示／薄文字で表示／明度の低い色で表示する方式、一応は使用者端末の基本メニューを表示し（４４０）、相手端末が支援しない機能を使用者が選択した場合は警告文字が書かれたポップアップ窓を表示する方式（４４２）など、多様な変形実施例が可能である。
【００５８】
図４において、使用者がメニューボタンを押した場合、表示される項目として示される、通話、映像通話、ＳＭＳ作成、ＭＭＳ作成、インスタントメッセージ（Instant Message）、電子メール作成は、一実施例に過ぎず、相手端末が支援する機能を表示する多様な方式も一実施例に過ぎない。したがって、当業者が状況に合わせて多様な変形を加えることができる。
【００５９】
図５は、本発明による選好連絡形態に対するメニュー表示の一実施例を示す図である。
【００６０】
本発明は、端末機使用者が、特定の相手に通話、メッセージ伝送、電子メール伝送などの通信を行うとした場合、プレゼンス情報を利用して相手が設定した選好連絡形態にマッチングするスマートメニュー（Smart Menu）を端末機に表示する方法を提供する。
【００６１】
プレゼンス情報には、使用者が設定していた選好連絡形態に関する情報も含まれていて、ＯＭＡが公示したバージョン１．３上の選好連絡形態は以下の表４に示す。
【００６２】
【表４】
0004937985.tif 000006
【００６３】
したがって、プレゼンス情報に含まれている選好連絡形態を把握することができ、これを利用して相手が設定していた選好連絡形態を反映したメニューを端末に表示し、端末使用者が、相手が選好する形態で連絡方式を選択するように誘導することができる。
【００６４】
図５は、選好連絡形態をＳＭＳに設定した時のメニュー表示方法を一実施例として示す。
【００６５】
図５に示すように、制御部２００の制御の下、ディスプレイ部２２０に、選好連絡形態により通話、ＳＭＳ、ＭＭＳ、ＩＭ、電子メールが表示され、第２使用者が自分の端末で選好連絡状態をＳＭＳに設定した場合（５００）、設定情報を含んだプレゼンス情報が通信ネットワークに伝送される。
【００６６】
伝送されたプレゼンス情報は、第１使用者端末の送受信部２１０を介して受信され、第２使用者（図５の「金哲秀」）の情報と連動してメモリ２３０に保存される。続いて、第１使用者が、第２使用者「金哲秀」に連絡するために、第２使用者「金哲秀」の電話番号を検索して（５１０）、受信者を「金哲秀」に選択し、メニューボタンを押せば制御部２００がメモリ２３０に保存された第２使用者「金哲秀」のプレゼンス情報を参照して特定項目が強調されたメニューが表示される。
【００６７】
図５において、第２使用者が設定した選好連絡状態がＳＭＳであり、第１使用者の端末が受信したプレゼンス情報に該当情報が含まれているので、第１使用者の端末の制御部２００は、ディスプレイ部２２０に「ＳＭＳ作成」項目が強調されたメニューを表示する。
【００６８】
強調表示する方法としては、強調する項目だけを、アクティブ表示、太文字で表示、文字大きさを調節して表示、背景色付加表示、陰影表示、イタリック体で表示、点滅表示、異なる文字色で表示するなどの多様な方法があり、図５では、活性化表示（５２０）、大文字で表示した画面（５３０）を例にして表示している。
【００６９】
制御部２００が、プレゼンス情報から第２使用者が設定した選好連絡状態を把握することに関して、第１使用者が第２使用者の電話番号を検索した後、メニューボタンを押す時に移動通信網を介して第２使用者のプレゼンス情報を受信して把握する方式、制御部２００が第１使用者の端末に登録されている電話番号に対するプレゼンス情報を所定周期で受信して反映しておき、この反映されたプレゼンス情報から把握する方式、第１使用者の端末に電話番号が登録されている使用者が自分の選好連絡形態を変更するたびに変更された情報を含んでいるプレゼンス情報が第１使用者端末のメモリ２３０に保存され、第１使用者が特定の相手の電話番号を検索する場合、保存していたプレゼンス情報から特定の相手の選好連絡形態を把握する方式などの多様な方式が可能である。
【００７０】
図６は、本発明の一実施例による支援可能機能表示方法を示す図である。
【００７１】
端末使用者が自分の端末に電話番号が保存してある特定の相手に連絡をするために、電話番号を検索して（Ｓ６０）、特定の電話番号を選択する（Ｓ６１）。特定の電話番号が選択されると（Ｓ６１）、制御部２００は選択された電話番号に該当する端末のプレゼンス情報を送受信部２１０によって受信する（Ｓ６２）。制御部２００は、受信したプレゼンス情報から相手端末が支援する機能を把握して（Ｓ６３）、支援可能な機能を所定の方式に従って表示する（Ｓ６４）。前記所定の方式は、図４の例示で説明しておりここでは省略する。
【００７２】
図７は、本発明の一実施例による選好連絡状態の表示方法を示す図である。
【００７３】
端末使用者が、自分の端末に電話番号が保存されている特定の相手に連絡をするために、電話番号を検索して（Ｓ７０）、特定の電話番号を選択する（Ｓ７１）。特定の電話番号が選択されると（Ｓ７１）、制御部２００は、選択された電話番号に該当する端末のプレゼンス情報を送受信部２１０により受信する（Ｓ７２）。受信したプレゼンス情報には相手が設定した選好連絡形態に対する情報が含まれているので、制御部２００が相手への連絡形態に関するメニューを使用者の端末に表示する場合に、前記把握された選好連絡形態を把握して（Ｓ７３）、把握された選好連絡形態を強調して表示する（Ｓ７４）。強調表示する方式の一例は、図５で説明しており、ここでは省略する。
【００７４】
図８は、本発明の一実施例によるメニュー表示方法を示す図である。
【００７５】
端末使用者が、自分の端末に保存されている電話番号リストを検索して特定の相手を選択する（Ｓ８０）。使用者がメニューボタンを押すと、メニューリスト部２０２はメニューデータ部２３２から端末に表示可能なメニューに対する情報を検索する（Ｓ８１）。検索されたメニュー情報は、メニューデータ部２３２からメニューリスト部２０２に伝送される（Ｓ８２）。
【００７６】
端末機に表示できる基本メニューリストを把握した後（Ｓ８０〜Ｓ８２）、制御部２００は、選択された電話番号に該当する端末のプレゼンス情報を送受信部２１０によって受信し（Ｓ８３）、受信したプレゼンス情報はプレゼンス部２３４に保存される。
【００７７】
制御部２００は、受信したプレゼンス情報から相手が設定した選好連絡形態と相手端末の支援可能機能を把握する（Ｓ８４、Ｓ８５）。ハンドセット機能部２０６は、相手ハンドセット機能テーブル２３６を参照して相手端末の支援可能機能を把握することができる。
【００７８】
強調項目選択部２０４は、把握した選好連絡形態と支援可能機能に基づいて特定項目を強調してディスプレイ部２２０に表示する（Ｓ８６、Ｓ８７）。強調表示する方式の一例は、図５に説明されている。
【００７９】
例えば、プレゼンス情報から把握した相手端末の支援可能機能が、通話、ＳＭＳ、ＭＭＳ、電子メールであって、選好連絡形態がＳＭＳであれば、強調項目選択部２０４は、相手端末が支援しない機能である映像通話、インスタントメッセージのような項目を非アクティブにしてメニューに表示し、「ＳＭＳ作成」のような項目は大きくて太文字で強調して表示される。
【００８０】
以上、添付の図面を参照して、本発明の好適な実施形態を詳細に説明した。しかしながら、本発明は、ここで説明した実施形態に限定されるわけではなく、他の形態でも具現化することができる。したがって、ここに開示された実施形態は発明の開示を完全なものとすると共に、当業者に本発明の趣旨を十分に伝えるために提供したものである。
【００８１】
したがって、本明細書に記載した実施例と図面に示した構成は、本発明の好適な一実施例に過ぎず、本発明の技術的思想をすべて代弁するものではないため、本願出願時点において、これらを代替できる多様な均等物と変形例がありうる。
【図面の簡単な説明】
【００８２】
【図１】従来技術によるＭＭＳ伝送の一実施例を示す図である。
【図２Ａ】本発明による移動通信端末機のブロック構成を概略的に示す図である。
【図２Ｂ】図２Ａの制御部のブロック構成を詳細に示す図である。
【図３Ａ】本発明の一実施例による移動通信端末機を示す図である。
【図３Ｂ】本発明の一実施例による移動通信端末機を示す図である。
【図４】本発明の一実施例によるメニュー表示方法を示す図である。
【図５】本発明に係る選好連絡形態に対するメニュー表示の一実施例を示す図である。
【図６】本発明の一実施例による支援可能機能表示方法を示す図である。
【図７】本発明の一実施例による選好連絡形態表示方法を示す図である
【図８】本発明の一実施例によるメニュー表示方法を示す図である。
【符号の説明】
【００８３】
２００  制御部
２０２  メニューリスト部
２０４  強調項目選択部
２０６  ハンドセット機能部
２１０  送受信部
２１２  アンテナ
２２０  ディスプレイ部
２３０  メモリ
２３２  メニューデータ部
２３４  プレゼンス部
２３６  ハンドセット機能テーブル
２４０  入力部
【図１】
0004937985.tif 000007
【図２Ａ】
0004937985.tif 000008
【図２Ｂ】
0004937985.tif 000009
【図３Ａ】
0004937985.tif 000010
【図３Ｂ】
0004937985.tif 000011
【図４】
0004937985.tif 000012
【図５】
0004937985.tif 000013
【図６】
0004937985.tif 000014
【図７】
0004937985.tif 000015
【図８】
0004937985.tif 000016